(57)【要約】【課題】簡単な構成で、液体の浸入抑制効果の高い電子制御装置を提供する。【解決手段】収容部１０は開口および底部を有する容器状である。蓋部２０は、板状であり、収容部１０の開口を閉塞することで収容部１０との間に収容空間を形成する。爪部１１は蓋部２０を収容部１０に固定する。制御部は収容空間に設けられる。収容部１０の底部１３または蓋部２０は、収容空間とは反対側の面に、液体の滴下が予想される液体滴下エリア１００、および、液体滴下エリア１００の液体が爪部１７、１８を避けて流下するよう形成される流路形成部２６１を有する。これにより、液体が爪部１７、１８による隙間から収容部１０の内部に浸入するのを抑制することができる。【選択図】  図２
2011103444.tif 000002
【特許請求の範囲】
【請求項１】
開口および底部を有する容器状の収容部と、
前記開口を閉塞することで前記収容部との間に収容空間を形成する板状の蓋部と、
前記蓋部を前記収容部に固定する結合部と、
前記収容空間に設けられる制御部とを備え、
前記蓋部または前記収容部は、前記収容空間とは反対側の面に、液体の滴下が予想される液体滴下エリア、および、当該液体滴下エリアの液体が前記結合部を避けて流下するよう形成される隔離部を有することを特徴とする電子制御装置。
【請求項２】
前記隔離部は、前記液体滴下エリアが形成される前記面に対して垂直な方向へ突起する流路形成部を含み、
当該流路形成部は、前記液体滴下エリアと前記結合部との間に形成され、一端は他端より液体流下方向の上側に形成されることを特徴とする請求項１に記載の電子制御装置。
【請求項３】
前記流路形成部の他端は、前記結合部の液体流下方向に対し上側の端部よりも液体流下方向の下側に形成されることを特徴とする請求項２に記載の電子制御装置。
【請求項４】
前記結合部は、複数設けられ、前記流路形成部の液体流下方向の上側より下側に多く配置されることを特徴とする請求項２または３に記載の電子制御装置。
【請求項５】
前記蓋部および前記収容部を別部材に固定するための複数の固定部を備え、
複数の前記固定部は、前記液体滴下エリアが形成される前記面に設けられ、前記蓋部または前記収容部の中心に対して互いに対称となるよう形成され、
さらに、前記固定部は、前記収容部または前記蓋部と繋がる基部と、他部材に接続可能な接続部とを含み、
前記基部は前記流路形成部と連続するよう一体に形成されることを特徴とする請求項２〜４のいずれか一項に記載の電子制御装置。
【請求項６】
前記固定部は、前記結合部に対し液体流下方向の上側に形成され、前記液体滴下エリアが形成される前記面に対して前記流路形成部よりも高く突起することを特徴とする請求項２〜５のいずれか一項に記載の電子制御装置。
【請求項７】
前記結合部は、前記収容部と一体に形成され、前記蓋部に対してカシメを行う爪部であり、
前記蓋部の前記収容空間との反対側の面は前記液体滴下エリアを有し、
前記基部は、一端が前記爪部よりも前記液体滴下エリア側に位置するよう形成されることを特徴とする請求項５または６に記載の電気制御装置。
【請求項８】
前記収容部の液体流下方向の下側端部に前記制御部と電気的に接続するコネクタをさらに備え、
前記流路形成部の他端は前記流路形成部の一端よりも前記コネクタの中心部に近い位置に形成されることを特徴とする請求項２〜７のいずれか一項に記載の電子制御装置。
【請求項９】
前記隔離部は、前記液体滴下エリアが形成される前記面に、前記流路形成部の液体流下方向の下側に形成される誘導部を含むことを特徴とする請求項２〜８のいずれか一項に記載の電子制御装置。
【請求項１０】
前記誘導部の一端は他端より液体流下方向の上側に形成されることを特徴とする請求項９に記載の電子制御装置。
【請求項１１】
前記収容部の液体流下方向の下側端部に前記制御部と電気的接続するコネクタをさらに備え、
前記誘導部の他端は、前記流路形成部の他端よりも前記コネクタの中間部側に延びることを特徴とする請求項１０に記載の電子制御装置。
【請求項１２】
前記隔離部は、前記結合部の輪郭に沿うよう形成される特定隔離部を含むことを特徴とする請求項１〜１１のいずれか一項に記載の電子制御装置。
【請求項１３】
前記特定隔離部は、前記結合部と所定間隔を置いて形成される隔離壁であることを特徴とする請求項１２に記載の電子制御装置。
【請求項１４】
前記底部または前記蓋部の前記収容空間とは反対側の面には、周縁に沿って前記収容空間と反対側方向に立設された隔離周壁が形成されることを特徴とすることを特徴とする請求項１〜１３のいずれか一項に記載の電子制御装置。
【請求項１５】
前記隔離周壁は、所定箇所に複数の排水溝を有することを特徴とする請求項１４に記載の電子制御装置。
【請求項１６】
前記蓋部は、前記液体滴下エリアが形成される前記面とは反対側の面に、前記収容部に嵌る嵌合部を有し、
当該嵌合部は、液体が前記収容空間に浸入した場合、液体が前記収容空間内の所定エリアまで誘導されるようテーパ状に形成されていることを特徴とする請求項１〜１５のいずれか一項に記載の電子制御装置。
【請求項１７】
前記制御部は、電子部品を基板に配置することで形成され、
前記嵌合部は、前記基板の周縁よりも前記収容部の内壁面に近い位置に形成されている外壁面を有することを特徴とする請求項１６に記載の電子制御装置。
【請求項１８】
前記嵌合部の前記基板側の端部は、前記基板の周縁よりも前記収容部の内壁面に近い位置に形成されている凸部を有することを特徴とする請求項１６または１７に記載の電子制御装置。
【請求項１９】
前記収容部は、内壁面のうち前記蓋部の前記嵌合部の近傍に少なくとも一つの凹部および凸部を有することを特徴とする請求項１６〜１８のいずれか一項に記載の電子制御装置。
【請求項２０】
前記基板は周縁に前記結合部に対応する位置に切欠凹部を有し、
前記嵌合部は、前記爪部と対応する位置の両側に滴下誘導部が形成され、
当該滴下誘導部の鉛直方向の投影は、前記切欠凹部を有する前記基板の鉛直方向の投影の水平方向の外側に位置することを特徴とする請求項１７〜１９のいずれか一項に記載の電子制御装置。
【発明の詳細な説明】
【技術分野】
【０００１】
本発明は、電子制御装置に関する。
【背景技術】
【０００２】
近年、モータによって操舵をアシストする電動パワーステアリングシステム（以下ＥＰＳという）が搭載された車両が多くなっている。このとき、車両には、モータを制御するための電子制御装置が搭載される。
この電子制御装置は、例えば、コラム軸の傍に取り付けられる。この場合、コラムの結露水や車内洗浄液などの液体が、電子制御装置に滴下することがあり、蓋部と収容部との間の隙間から電子制御装置内部にその液体が浸入し、システムダウンが発生するおそれがある。このような被水による影響を防ぐために、収容部としての筐体と蓋部としての蓋との間にシール剤を充填して密封することが提案されている（例えば、特許文献１参照）。
【先行技術文献】
【特許文献】
【０００３】
【特許文献１】特開２００７−２７３８０７号公報
【発明の概要】
【発明が解決しようとする課題】
【０００４】
また、防水シートを用いて電子制御装置を包むことが考えられる。
しかしながら、シール剤を充填する方法、及びシートで包む方法は、いずれもコストが高い上、作業性が悪いという問題がある。
本発明は、上記問題を解決するためになされたものであって、その目的は、簡単な構成で、液体の浸入抑制効果の高い電子制御装置を提供することにある。
【課題を解決するための手段】
【０００５】
請求項１に係る発明によると、電子制御部は、収容部、蓋部、結合部、および、制御部を備えている。収容部は開口および底部を有する容器状である。蓋部は、板状であり、収容部の開口を閉塞することで収容部との間に収容空間を形成する。結合部は蓋部を収容部に固定する。制御部は収容空間に設けられる。収容部または蓋部は、収容空間とは反対側の面に、液体の滴下が予想される液体滴下エリア、および、液体滴下エリアの液体が結合部を避けて流下するよう形成される隔離部を有する。
【０００６】
ところで、結合部の近傍は、蓋部と収容部との隙間が大きく形成しやすい。本発明では、液体滴下エリアに滴下した液体は、結合部を避けて流れる。よって、液体が蓋部と収容部との間の結合部近傍の隙間から電子制御装置の内部に浸入するのを抑制することができる。
【０００７】
請求項２に係る発明によると、隔離部は、液体滴下エリアが形成される面に対して垂直な方向へ突起する流路形成部を含む。流路形成部は、液体滴下エリアと結合部との間に形成される。また、流路形成部の一端は他端より液体流下方向の上側に形成される。
これにより、液体滴下エリアと結合部とは流路形成部により隔てられ、液体滴下エリアに滴下した液体が結合部近傍隙間から電子制御装置の内部に浸入するのを抑制することができる。
【０００８】
請求項３に係る発明によると、流路形成部の他端は、結合部の液体流下方向に対し上側の端部よりも液体流下方向の下側に形成される。
これにより、流路形成部は結合部を覆うよう形成され、液体が結合部近傍の隙間から電子制御装置の内部に浸入するのを抑制する効果を高めることができる。
【０００９】
請求高４に係る発明によると、結合部は複数設けられ、流路形成部の液体流下方向の上側より下側に多く配置される。
これにより、流路形成部により覆われる結合部を増やすことで、液体が結合部近傍の隙間から電子制御装置の内部に浸入するのを抑制する効果を高めることができる。
【００１０】
請求項５に係る発明によると、蓋部および収容部を別部材に固定するための複数の固定部をさらに備える。複数の固定部は、液体滴下エリアが形成される面に設けられ、蓋部または収容部の中心に対して互いに対称となるよう形成される。固定部は、収容部または蓋部と繋がる基部と、他部材に接続可能な接続部とを含み、基部は流路形成部と連続するよう一体に形成される。
これにより、結合部を覆う範囲が広くなり、液体が結合部近傍の隙間から電子制御装置の内部に浸入するのを抑制する効果を高めることができる。
【００１１】
請求項６に係る発明によると、固定部は、結合部に対し液体流下方向の上側に形成され、液体滴下エリアが形成される面に対して流路形成部よりも高く突起する。
これにより、固定部の強度を高めることができるとともに、液体滴下エリアから結合部へ向かう液体を固定部により遮ることができる。
【００１２】
請求項７に係る発明によると、結合部は、収容部と一体に形成され、蓋部に対してカシメを行う爪部である。蓋部は、収容空間との反対側の面に液体滴下エリアを有する。基部は、一端が爪部よりも液体滴下エリア側に位置するよう形成される。よって、固定部の液体を遮る効果を高めることができる。
【００１３】
請求項８に係る発明によると、収容部の液体流下方向の下側端部には制御部と電気的に接続するコネクタをさらに備える。流路形成部の他端は流路形成部の一端よりもコネクタの中心部に近い位置に形成される。
これにより、コネクタの中心部に液体を導くことができる。よって、コネクタの両端部と収容部との隙間から液体が電子制御装置の内部に浸入するのを抑制することができる。
【００１４】
請求項９に係る発明によると、蓋部または収容部は、液体滴下エリアが形成される面に、流路形成部の液体流下方向の下側に形成される誘導部を含む。
これにより、液体が蓋部または収容部の液体流下方向下側の縁部に沿って両端部へ流れることを抑制することができる。このため、コネクタの両端部と収容部との隙間から液体が電子制御装置の内部に浸入するのを抑制する効果を高めることができる。
【００１５】
請求項１０に係る発明によると、誘導部の一端は他端より液体流下方向の上側に形成される。
これにより、誘導部に液体が溜まった場合であっても、液体が誘導部に沿って蓋部または収容部の両端部まで流れることを抑制することができる。
【００１６】
さらに、請求項１１に係る発明によると、誘導部の他端は、流路形成部の他端よりもコネクタの中間部側に延びる。
これにより、液体はコネクタの中間部に導かれ、液体がコネクタの両端部へ流れることを抑制することができる。
【００１７】
請求項１２に係る発明によると、隔離部は、結合部の輪郭に沿うよう形成される特定隔離部を含む。この特定隔離部を具現化する構成として、請求項１３に係る発明によると、特定隔離部は結合部と所定間隔を置いて形成される隔離壁である。また、特定隔離部は、隔離台または隔離溝で構成しても良い。
このような構成は、いずれも、液体滴下エリアに滴下された液体が結合部近傍の隙間から電子制御装置の内部に浸入するのを抑制することができる。
【００１８】
請求項１４に係る発明によると、底部または蓋部の収容空間とは反対側の面には、周縁に沿って収容空間と反対側方向に立設された隔離周壁が形成される。
これにより、液体が蓋部と収容部との隙間から電子制御装置の内部に浸入するのを抑制することができる。
【００１９】
請求項１５に係る発明によると、隔離周壁は複数の排水溝を有する。ここで、排水溝は所定箇所に設けることが好ましい。所定箇所というのは、蓋部と収容部との隙間が覆われている箇所、および、排水溝から排出された液体が他部材へ影響を及ぼさない箇所等が考えられる。
これにより、液体が排水溝に沿って流れるため、液体が電子制御装置の内部に浸入するのを抑制することができ、また、他部材への影響を抑制することができる。
【００２０】
請求項１６に係る発明によると、蓋部は、液体滴下エリアが形成される面とは反対側の面に、収容部に嵌る嵌合部を有する。この嵌合部は、収容空間に浸入した液体が収容空間内の所定エリアまで誘導されるようテーパ状に形成されている。ここで、所定エリアは、電子部品が配置されていないエリアであり、例えば、ネジ組付け部などが考えられる。
これにより、液体が電子制御装置の内部に浸入したとしても、液体はテーパ状の嵌合部に沿って、電子部品が配置されていないエリアに導かれ、電子部品の被水を抑制することができる。
【００２１】
請求項１７に係る発明によると、制御部は、電子部品を基板に配置することで形成される。嵌合部は、基板の周縁よりも収容部の内壁面に近い位置に形成されている外壁面を有する。ここで、収容部の側方内壁面と嵌合部の外壁面とは、隣接してもよいし、液体が表面張力によって嵌合部の外壁面から収容部の側方内壁面へ流れやすい隙間を有してもよい。また、収容部の側方内壁面を嵌合部の外壁面に平行に形成してもよい。
これにより、嵌合部の外壁面の液体が収容部の側方内壁面へ流れやすくなり、液体が電子制御装置の内部に浸入したとしても、液体が収容部の内壁に沿って流れるように誘導することができる。よって、液体が基板に付着するのを抑制することができる。
【００２２】
請求項１８に係る発明によると、嵌合部の基板側の端部は、基板の周縁よりも収容部の内壁面に近い位置に形成されている凸部を有する。
これにより、液体が電子制御装置の内部に浸入したとしても、液体が嵌合部を越えて基板まで至ることを抑制し、液体が基板に付着するのを抑制することができる。
【００２３】
請求項１９に係る発明によると、収容部は、内壁面のうち蓋部の嵌合部の近傍に少なくとも一つの凹部および凸部を有する。
これにより、収容部の側方内壁面と嵌合部の基板側端部との隙間が小さくなり、液体が電子制御装置の内部に浸入したとしても、液体が収容部の側方内壁面に沿って流れる。また、液体は表面張力によって基板側に誘導されることなく、収容部の内壁に沿って流れる。したがって、液体が基板に付着するのを抑制することができる。
【００２４】
請求項２０に係る発明によると、基板は周縁に結合部に対応する位置に切欠凹部を有する。嵌合部は滴下誘導部を有する。また、嵌合部は、爪部と対応する位置の両側に滴下誘導部が形成される。滴下誘導部の鉛直方向の投影は、切欠凹部を有する基板の鉛直方向の投影の水平方向の外側に位置する。
これにより、液体が電子制御装置の内部に浸入した場合、液体は滴下誘導部に沿って基板の切欠凹部が形成された凹部空間を通過するか、基板の外側に落ちる。そのため、液体が基板に付着するのを抑制することができる。
【図面の簡単な説明】
【００２５】
【図１】本発明の第１実施形態による電子制御装置の実装状態を示す模式図。
【図２】本発明の第１実施形態による電子制御装置の蓋部側平面図。
【図３】図２のＩＩＩ方向矢視図。
【図４】図２のＩＶ−ＩＶ線断面図。
【図５】本発明の第１実施形態による電子制御装置の収容部側平面図。
【図６】本発明の第１実施形態による電子制御装置の被水状態を示す模式図。
【図７】本発明の第２実施形態による電子制御装置の蓋部側平面図。
【図８】本発明の第２実施形態による電子制御装置の側面図。
【図９】本発明の第２実施形態の電子制御装置において、（ａ）は収容部側平面図、（ｂ）は（ａ）のｂ−ｂ線断面図。
【図１０】本発明の第３実施形態による電子制御装置の側面図。
【図１１】本発明の第３実施形態による電子制御装置の蓋部側平面図。
【図１２】本発明の第３実施形態による電子制御装置の要部傾斜図。
【図１３】本発明の第４実施形態による電子制御装置の側面図。
【図１４】本発明の第４実施形態による電子制御装置の蓋部側平面図。
【図１５】本発明の第５実施形態による電子制御装置の側面図。
【図１６】本発明の第６実施形態による電子制御装置の要部断面図。
【図１７】本発明の第７実施形態による電子制御装置の要部断面図。
【図１８】本発明の第８実施形態による電子制御装置の要部側面図。
【図１９】本発明の第８実施形態による電子制御装置の要部模式図。
【発明を実施するための形態】
【００２６】
以下、本発明の複数の実施形態を図面に基づいて説明する。なお、複数の実施形態において、実質的に同一の構成部位には同一の符号を付し、説明を省略する。
（第１実施形態）
本実施形態の電子制御装置は、例えば車両のＥＰＳに用いられ、操舵トルク信号及び車速信号に基づいて、操舵のアシスト力を発生するモータを駆動制御するものである。
本実施形態の電子制御装置を図１〜５に示す。図１に示すように、電子制御装置１はダッシュボード９０の内部に設けられ、ハンドル９３に繋がるコラム９１の下側に傾斜した状態で取り付けられる。
【００２７】
電子制御装置１は、収容部１０、蓋部２０、制御部３０、および、爪部１１等を備える。図１に示すように、電子制御装置１は、収容部１０よりも蓋部２０が鉛直方向の上側に位置するようコラム９１の下側に配置される。本実施形態の場合、電子制御装置１はコネクタ４０をさらに備える。コネクタ４０は、一端が制御部３０に電気的に接続し、他端が収容部１０の下側の外に露出するよう設けられている。
【００２８】
収容部１０は、例えば亜鉛メッキ処理を施したステンレス等の金属によって形成され、底部１３および側壁１２を有する容器状である。側壁１２は、底部１３とは反対側の開口周縁に三つの爪部１６、１７、１８を有する。爪部１６、１７、１８は、蓋部２０に対してカシメを行うことで蓋部２０を収容部１０に固定する。
【００２９】
蓋部２０は、略矩形の板状であり、例えばアルミニウムなどの金属によって形成される。蓋部２０は、収容部１０の開口を閉塞することによって、制御部３０を収容する収容空間１５を形成する。ここで、蓋部２０の収容部１０側の面を裏面とし、その反対面を表面とする。
【００３０】
図２に示すように、蓋部２０は、表面に液体の滴下が予想される液体滴下エリア１００を有する。液体滴下エリア１００は、本実施形態の電子制御装置１を車体に取り付ける際、結露水等の液体が滴下する位置を予測して決めたエリアである。例えば、本実施形態の電子制御装置１をコラムの下側に配置するとき、コラムの結露水が滴下する位置を予測して、液体滴下エリア１００とする。ここで、液体が流れる方向を液体流下方向とする（以下、単に「下側」という場合、「液体流下方向の下側」を意味し、単に「上側」という場合、「液体流下方向の上側」を意味する）。また、図２に示すように、爪部１６は液体滴下エリア１００の上側で蓋部２０に対してカシメを行い、爪部１７、１８は液体滴下エリア１００の下側で蓋部２０に対してカシメを行う。
【００３１】
蓋部２０の表面には、蓋部２０の中心に対して対象となるよう形成される流路形成部２６１、誘導部２６２、および、固定部２２を一対ずつ有する。
【００３２】
流路形成部２６１は、液体滴下エリア１００と爪部１７、１８との間に形成される。流路形成部２６１は、蓋部２０の表面に対して垂直な方向に突起し、蓋部２０の四辺に対して斜めに形成される。流路形成部２６１の一端２６１ａは他端２６１ｂより液体流下方向の上側に形成される。また、流路形成部２６１の他端２６１ｂは、爪部１７、１８の液体流下方向の上端１７ａ、１８ａよりも下側に形成される。本実施形態では、三つの爪部１６、１７、１８のうち、二つの爪部１７、１８が流路形成部２６１の下側で蓋部２０に対してカシメを行う。
【００３３】
誘導部２６２は、流路形成部２６１の下側に設けられる。本実施形態の場合、誘導部２６２は、蓋部２０の表面の下側の縁部の両側に設けられる。誘導部２６２は、一端２６２ａが他端２６２ｂより上側に形成され、図２に示すように、上側に傾斜面を有する形状で形成される。また、誘導部２６２の他端２６２ｂは流路形成部２６１の他端２６１ａよりも、蓋部２０の下側の縁部の中間部側に延びている。
【００３４】
固定部２２は、蓋部２０と繋がっている基部２２１、および、他部材に接続可能な接続部２２２を有する。基部２２１と流路形成部２６１とは連続するよう一体に形成されている。接続部２２２は、一端にボルト孔２２３が形成され、他端が基部２２１と一体となるよう繋がっている。また、図２および３に示すように、接続部２２２は蓋部２０の外側に突出している。固定部２２は、蓋部２０および収容部１０を別部材、すなわち本実施形態ではコラム９１に固定するために設けられている。
本実施形態の場合、固定部２２は、爪部１１の上側に形成され、図４に示すように、液体滴下エリア１００が形成される面に対して流路形成部２６１よりも高く突起している。流路形成部２６１と固定部２２とは、液体滴下エリア１００から爪部１１を覆うよう設けられている。
【００３５】
制御部３０は、図４に示すように、収容空間１５に設けられ、ＭＯＳ、アルミ電解コンデンサ、コイル、リレー、シャント抵抗等の電子部品３２を基板３１に実装することで形成される。基板３１は、電子部品３２がないエリアにネジを通して、ネジ組付け部２９に組付けることによって、蓋部２０に固定される。
【００３６】
続いて、本実施形態の効果を説明する。
本実施形態では、液体滴下エリア１００と爪部１７、１８との間に流路形成部２６１が形成される。よって、液体が爪部１７、１８と蓋部２０との隙間から電子制御装置１の内部に浸入するのを抑制することができる。
また、流路形成部２６１の一端２６１ａは他端２６１ｂより液体流下方向の上側に形成される。このため、流路形成部２６１は爪部１７、１８を覆うよう形成され、液体が爪部１７、１８と蓋部２０との隙間から電子制御装置１の内部に浸入するのを抑制する効果を高めることができる。
【００３７】
本実施形態では、固定部２２と流路形成部２６１とは連続するよう一体に形成される。このため、爪部１７、１８を覆う範囲が広くなり、液体が爪部１７、１８１７、１８と蓋部２０との隙間から電子制御装置１の内部に浸入するのを抑制する効果を高めることができる。
また、固定部２２は誘導部２６１よりも高く突起することで、固定部２２の強度を高めることができるとともに、固定部２２の液体を遮断する効果を高めることができる。
【００３８】
本実施形態では、誘導部２６２は、蓋部２０の表面の下側の縁部の両側に設けられる。このため、コネクタ４０の両端部と収容部１０との隙間から液体が電子制御装置１の内部に浸入するのを抑制することができる。
また、誘導部２６２の一端２６２ａは他端２６２ｂより上側に形成される。このため、たとえ誘導部２６２に液体が溜まった場合であっても、液体が誘導部２６２に沿って蓋部２０の両端部まで流れることを抑制することができる。
さらに、誘導部２６２の他端２６２ｂは、流路形成部２６１の他端２６１ｂよりも蓋部２０の下側の縁部の中間部側に延びている。
これにより、液体はコネクタ４０の中心部に導かれ、液体がコネクタ４０の両端部へ流れることを抑制することができる。
その結果、図６示すように、コラム９１とダッシュボード９０との隙間から入る水１０１が蓋部２０の表面液体滴下エリア１００に滴下する場合、水１０１は流路形成部２６１および誘導部２６２に導かれ、コネクタ４０に沿って落下する。
【００３９】
（第２実施形態）
本実施形態の電子制御装置を図７〜９に示す。上記形態と実質的に同一の構成部分には同一の符号を付し、説明を省略する。
図７に示すように、本実施形態による電子制御装置２の場合、四つの爪部１１は二つが対称になるよう形成されている。蓋部２０の表面には、爪嵌合部２５が設けられ、爪嵌合部２５と収容部１０の爪部１１とが嵌合することによって、蓋部２０は収容部１０に固定される。
【００４０】
また、蓋部２０の表面において、液体滴下エリア１００と爪嵌合部２５との間には、流路形成部２６３が蓋部２０の表面に対して垂直な方向に突起して形成され、爪嵌合部２５を遠く回って形成されている。
【００４１】
図８に示すように、蓋部２０の裏面には、収容部固定爪２１を有する。収容部固定爪２１は、蓋部２０から収容部１０の外壁に沿って延出し、蓋部２０と収容部１０との間の隙間に跨いで形成されている。この収容部固定爪２１によって、収容部１０は裏面方向に移動しないように蓋部２０に固定される。
【００４２】
また、二つの流路形成部２６３の間には、誘導溝２７が蓋部２０の収容部固定爪２１上に形成されている。蓋部２０の周縁に導かれた液体は、誘導溝２７に沿って下方向へ落下する。
【００４３】
本実施形態の電子制御装置２の収容部１０側から見る平面図を図９に示す。図８及び図９に示すように、蓋部２０の裏面周縁には、延出壁２３が立設されている。延出壁２３は、蓋部２０の裏面周縁に沿って収容部１０側に立設し、収容部１０の側壁と平行に形成される。図９（ｂ）に示すように、延出壁２３は、蓋部２０と収容部１０との隙間の収容部１０側まで延設されている。例えば、延出壁２３は３〜５ｍｍ程度の長さとすることが好ましい。
【００４４】
次に、本実施形態の電子制御装置の効果について説明する。
本実施形態では、蓋部２０の表面において、液体滴下エリア１００と爪嵌合部２５との間には、流路形成部２６３が形成されている。液体滴下エリア１００の液体は、爪嵌合部２５と爪部１１との間の隙間に到達することなく、蓋部２０の周縁に導かれる。よって、液体が、爪嵌合部２５と爪部１１との間の隙間から電子制御装置２の内部に浸入するのを抑制することができる。
【００４５】
また、二つの流路形成部２６３の間において、蓋部２０の収容部固定爪２１上に、誘導溝２７が形成されている。よって、蓋部２０の周縁に導かれた液体は、誘導溝２７を沿って下方向に落ちる。
【００４６】
さらに、収容部固定爪２１は、蓋部２０から収容部１０の外壁に沿って延出し、蓋部２０と収容部１０との隙間に跨いで形成されている。よって、誘導溝２７を流れる水が、蓋部２０と収容部１０との間の隙間に沿って、電子制御装置２の内部に浸入するのを抑制することができる。
【００４７】
本実施形態の蓋部２０の周縁には、延出壁２３が形成されている。よって、液体が表面張力によって蓋部２０と収容部１０との間の隙間に浸入するのを抑制することができる。
結果、このようなシンプルな構成で高い防水効果を果たすことができる。
【００４８】
（第３実施形態）
本実施形態の電子制御装置を図１０〜１２に示す。上記形態と実質的に同一の構成部分には同一の符号を付し、説明を省略する。図１０及び１１に示すように、本実施形態の蓋部２０の表面には、爪嵌合部２５の輪郭に沿った隔離壁２６４が形成されている。隔離壁２６４は、蓋部２０の表面に露出されている爪部１１を完全に囲むように形成することが好ましい。この隔離壁２６４は、図１０に示すように、蓋部２０の表面から裏面までに跨って、延出壁２３の端部まで形成することが好ましい。
【００４９】
本実施形態の変形例として、図１２（ｂ）に示すように、爪嵌合部２５と一体となっている隔離台２６５を形成することができる。また、図１２（ｃ）に示すように、隔離壁２６４の代わりに隔離溝２６６を形成することができる。
【００５０】
本実施形態の電子制御装置３に、隔離壁２６４、隔離台２６５、及び隔離溝２６６のような隔離部を形成することにより、液体が爪嵌合部２５と爪部１１との間の隙間から電子制御装置３の内部に浸入するのを抑制し、シンプルな構成で高い防水効果を果たすことができる。
【００５１】
（第４実施形態）
本実施形態の電子制御装置を図１３及び１４に示す。上記形態と実質的に同一の構成部分には同一の符号を付し、説明を省略する。図１３及び１４に示すように、電子制御装置４の蓋部２０の表面には、周縁に沿って隔離周壁２４が蓋部２０の表面に対して垂直な方向に立設されている。また、隔離周壁２４と隔離壁２６４との間には、排水溝２４１が形成されている。この排水溝２４１は、他部材に影響しない位置に配置することが好ましい。図１４に示すように、コネクタ４０の両側にも排水溝２４０が形成されている。
【００５２】
本実施形態の電子制御装置４の蓋部２０の表面に、隔離周壁２４を形成することによって、液体滴下エリア１００の液体が、蓋部２０と収容部１０との間の隙間に浸入するのをさらに抑制することができる。特に、コネクタ４０と蓋部２０との間の隙間から液体が浸入するのを抑制することができる。
また、排水溝２４１を複数個有することによって、電子制御装置４は、いずれの排水溝２４１側へ傾斜してもかまわない。よって、電子制御装置４の配置の自由度を高めることができ、滴下液が他部材に影響を及ぼさないように配置することができる。
【００５３】
さらに、コネクタ４０の両側の排水溝２４０は、液体を誘導排出することによって、液体がコネクタ４０と収容部１０との間の隙間に浸入するのを抑制し、シンプルな構成で高い防水効果を果たすことができる。
【００５４】
（第５実施形態）
本実施形態の電子制御装置を図１５に示す。上記形態と実質的に同一の構成部分には同一の符号を付し、説明を省略する。図１５に示すように、嵌合部２８は、液体を所定エリアまで誘導するテ−パ状で形成され、例えば、爪嵌合部２５側よりネジ組付け部２９側が鉛直方向に肉厚であるテ−パ状で形成されている。
【００５５】
本実施形態の電子制御装置５の蓋部２０の裏面に形成されている嵌合部２８がテーパ形状であることによって、電子制御装置４の中に入った液体を、電子部品のない所定エリアまで誘導することができる。図１５に示すように、爪嵌合部２５と爪部１１との隙間から入った液体は、誘導形状の嵌合部２８によってネジ組付け部２９まで誘導され、電子部品３２が配置されていないエリアから落ちる。よって、万が一液体が爪嵌合部２５と爪部１１との隙間から電子制御装置５の中に浸入したとしても、電子部品３２の被水を抑制し、シンプルな構成で高い防水効果を果たすことができる。
【００５６】
（第６実施形態）
本実施形態の電子制御装置を図１６に示す。上記形態と実質的に同一の構成部分には同一の符号を付し、説明を省略する。嵌合部２８は、例えば図１６の（ａ）及び（ｂ）に示すように、嵌合部２８は、基板３１の周縁端部よりも収容部１０の側方内壁面の近傍に形成する外壁面２８０を有する。このとき、液体が表面張力によって嵌合部２８の外壁面２８０から収容部１０の側方内壁面へ流れやすい程度の隙間を有することが好ましい。また、外壁面２８０は、収容部１０の側方内壁面に平行に形成することが好ましい。逆に、収容部１０の側方内壁面が嵌合部２８の外壁面２８０に平行に形成してもよい。
【００５７】
また、図１６の（ｂ）及び（ｃ）に示すように、嵌合部２８の基板３１側の端部において、収容部１０の側方内壁側に、凸部２８１を形成してもよい。凸部２８１は、基板３１の周縁よりも収容部１０の側方内壁に近付いて形成されていることが好ましい。凸部２８１は、嵌合部２８に沿って連続した凸壁として形成しても良いし、間隔を置いて形成しても良い。
【００５８】
本実施形態の電子制御装置５の嵌合部２８は、基板３１の周縁端部よりも収容部１０の側方内壁面の近傍に形成する外壁面２８０を有することによって、収容部１０と蓋部２０との隙間から入る液体を、収容部１０の内壁に沿って流れるように誘導することができる。
また、嵌合部２８に凸部２８１を形成することによって、液体が嵌合部２８を越えて基板３１まで至ることを抑制することができる。したがって、液体が基板３１に落ちることを抑制し、シンプルな構成で高い防水効果を果たすことができる。
【００５９】
（第７実施形態）
本実施形態の電子制御装置を図１７に示す。上記形態と実質的に同一の構成部分には同一の符号を付し、説明を省略する。図１７に示すように、収容部１０は、蓋部２０の嵌合部２８の近傍にある側方内壁面に、少なくとも一つの凹部１２１及び凸部１２２を有する。凸部１２２と嵌合部２８との間には、嵌合部２８の外壁面２８０から収容部１０の側方内壁面へ流れやすい程度の隙間を有することが好ましい。また、図１７の（ｃ）に示すように、複数の凹部１２１と複数の凸部１２２とを有することが好ましい。凹部１２１と凸部１２２とは、さまざまな形で形成することができ、嵌合部２８の近傍にある収容部１０の側方内壁面の表面張力を増大させる形状であればよい。
【００６０】
本実施形態の電子制御装置７の収容部１０は少なくとも一つの凹部１２１及び凸部１２２を有することのよって、収容部１０と蓋部２０との隙間から入る液体を、収容部１０の内壁に沿って流れるように誘導することができる。また、凸部１２２と嵌合部２８との間には、嵌合部２８の外壁面２８０から収容部１０の側方内壁面へ流れやすい程度の隙間を有することによって、嵌合部２８の外壁面２８０を流れる液体が、収容部１０の側方内壁面へ流れやすくなる。さらにまた、複数の凹部１２１及び凸部１２２を形成して、収容部１０の側方内壁面の単位表面積を増大させ、液体が表面張力によって収容部１０の内壁に沿って流れるように促進する。よって、液体が基板３１にふちゃくするのを抑制し、シンプルな構成で高い防水効果を果たすことができる。
【００６１】
（第８実施形態）
本実施形態の電子制御装置を図１８及び１９に示す。上記形態と実質的に同一の構成部分には同一の符号を付し、説明を省略する。図１８は、収容部１０とコネクタ４０とを取り外した状態の電子制御装置６の一部を示す側面図である。図１８に示すように、基板３１には切欠凹部３３を有する。切欠凹部３３は、基板３１上において、爪嵌合部２５に対応付けられているエリアに形成され、爪部１１の幅よりも長い幅で形成することが好ましい。例えば、幅が１３〜１５ｍｍ、深さが２〜３ｍｍである切欠口を形成することが好ましい。
【００６２】
また、嵌合部２８には、図１８に示すように、誘導凹部２８２が形成されている。誘導凹部２８２は、その鉛直方向の投影が、爪部１１の鉛直方向の投影と切欠凹部３３を有する基板３１の鉛直方向の投影との間にくるように形成されている。また、図１８に示すように、誘導凹部２８２は、嵌合部２８において、爪部１１の端部を通る垂直線と切欠凹部３３の端部を通る垂直線との間で形成することが好ましい。ここで、誘導凹部２８２は、特許請求の範囲における「滴下誘導部」に相当する。
【００６３】
図１９は、基板３１の切欠凹部３３の周囲を示す立体模式図である。図１９に示すように、本実施形態の電子制御装置６の基板３１には、切欠凹部３３を有することによって、爪嵌合部２５と爪部１１との間から入る液体が基板３１に落ちることを抑制し、シンプルな構成で高い防水効果を果たすことができる。また、爪部１１の端部を通る鉛直方向の直線と切欠凹部３３の端部を通る鉛直方向の直線との間に誘導凹部２８２を形成することによって、液体が基板３１に落ちることをさらに抑制することができる。
【００６４】
（他の実施形態）
上記実施形態では、収容部より蓋部が上側に位置するよう電子制御装置を配置し、液体滴下エリアを蓋部の表面に想定した。他の実施形態では、蓋部より収容部の底部が上側に位置するよう電子制御装置を配置し、収容部の底部の収容空間とは反対側の面に、液体の滴下が予想される液体滴下エリアを想定してもよい。この場合、流路形成部、誘導部、および特定隔離部を含む隔離部は、収容部の収容空間とは反対側の面に形成してもよい。
上記実施形態では、二つの流路形成部が設けられている。他の実施形態では、流路形成部を３つ以上形成してもよい。例えば、コネクタ及び四つの爪嵌合部をそれぞれ囲む五つの流路形成部を形成してもよい。この場合、各流路形成部の間に誘導溝を形成してもよい。
上記実施形態では、嵌合部はテーパ状で形成されている。他の実施形態では、嵌合部は、爪嵌合部の裏面とネジ組付け部とを連結する棒として形成してもよい。この場合、嵌合部は、爪嵌合部側よりもネジ組付け部側で制御部に近づいて配置することが好ましい。つまり、嵌合部は、液体が爪嵌合部側からネジ組付け部まで誘導される形状であればよい。
上記実施形態では、嵌合部に誘導凹部が形成されている。他の実施形態では、同じ位置に誘導凹部の代わりに誘導凸部を形成してもよい。
このように、本発明は、上記実施形態に限られることなく、その要旨を逸脱しない範囲で、種々の実施形態とすることが可能である。
【符号の説明】
【００６５】
１〜８                  ・・・電子制御装置
１０                    ・・・収容部
１１、１６、１７、１８  ・・・爪部（結合部）
１２                    ・・・側壁
１３                    ・・・底部
１５                    ・・・収容空間
２０                    ・・・蓋部
２２                    ・・・固定部
２４                    ・・・隔離周壁（隔離部）
２６１、２６３          ・・・流路形成部（隔離部）
２６２                  ・・・誘導部（隔離部）
２６４                  ・・・隔離壁（特定隔離部）
２６５                  ・・・隔離台（特定隔離部）
２６６                  ・・・隔離溝（特定隔離部）
【図１】
2011103444.tif 000003
【図２】
2011103444.tif 000004
【図３】
2011103444.tif 000005
【図４】
2011103444.tif 000006
【図５】
2011103444.tif 000007
【図６】
2011103444.tif 000008
【図７】
2011103444.tif 000009
【図８】
2011103444.tif 000010
【図９】
2011103444.tif 000011
【図１０】
2011103444.tif 000012
【図１１】
2011103444.tif 000013
【図１２】
2011103444.tif 000014
【図１３】
2011103444.tif 000015
【図１４】
2011103444.tif 000016
【図１５】
2011103444.tif 000017
【図１６】
2011103444.tif 000018
【図１７】
2011103444.tif 000019
【図１８】
2011103444.tif 000020
【図１９】
2011103444.tif 000021